(57)【特許請求の範囲】
【請求項１】
下端面が開口されてなる上側箱体と、上端面が開口され、前記上側箱体の下方に組み付けられ、前記上側箱体に組み付けされた場合、該上側箱体の下端縁面に当接される当接面が形成されるように箱外面から突出されてなる当接突出部を含む下側箱体と、を有してなる電気接続箱において、
前記当接突出部は、
前記当接面に平行な方向で前記上側箱体よりも外側に突出される部分に、前記当接面から下方に向けて傾斜されるように前記当接面に繋がる傾斜面が形成されてなることを特徴とする電気接続箱。
【請求項２】
前記当接突出部は、
該当接突出部を上下方向で貫通する貫通孔が前記傾斜面に形成されてなることを特徴とする請求項１に記載の電気接続箱。
【請求項３】
前記傾斜面は、
前記当接面に平行な方向で前記上側箱体よりも僅かに内側の位置から前記当接面に繋がるように形成されてなることを特徴とする請求項１または２に記載の電気接続箱。
【発明の詳細な説明】
【技術分野】
【０００１】
本発明は、上側箱体と、上側箱体の下方に組み付けられる下側箱体とを有してなる電気接続箱に関する。
【背景技術】
【０００２】
従来、例えば自動車に搭載されている電子機器に電力を供給するため、コネクタ、リレー、ヒューズ等の電気部品が集約して構成されてなる電気接続箱がエンジンルームに設置される。このような電気接続箱は、下端面が開口されてなる上側箱体と、上端面が開口され、上側箱体の下方に組み付けられる下側箱体と、を有してなるものがある。例えば、特許文献１には、上側箱体と下側箱体との嵌合部に複数の壁を設けることによって水が侵入し難いようにした電気接続箱が提案されている。
【０００３】
特許文献１に記載された電気接続箱は、下端面が開口されてなるアッパーカバー（上側箱体）と、上端面が開口された有底の箱であり、アッパーカバーの下方下端面を覆うように組み付けられ、アッパーカバーに組み付けされた場合、アッパーカバーの下端縁面に当接される当接面が形成されるように箱外面から突出されてなるフランジ（当接突出部）を含むロアカバー（下側箱体）と、を有してなる。
【先行技術文献】
【特許文献】
【０００４】
【特許文献１】特許第３２２１３６３号公報
【発明の概要】
【発明が解決しようとする課題】
【０００５】
しかしながら、特許文献１に記載された電気接続箱１００は、下側箱体１２０の箱外面１２０ａから突出されてなる当接突出部１２１が、図７に示すように、当接面１２１ａに平行な方向で上側箱体１１０より外側に突出された場合、当接面１２１ａをつたわって電気接続箱１００内に水Ｗが侵入し、防水性能が低下してしまうという問題があった。
【０００６】
本発明は、上記に鑑みてなされたものであって、上側箱体の下端縁面に当接される下側箱体の当接面をつたわって内部に水が侵入することを防止することができる電気接続箱を提供することを目的とする。
【課題を解決するための手段】
【０００７】
上述した課題を解決し、目的を達成するために、本発明の請求項１に係る電気接続箱は、下端面が開口されてなる上側箱体と、上端面が開口され、前記上側箱体の下方に組み付けられ、前記上側箱体に組み付けされた場合、該上側箱体の下端縁面に当接される当接面が形成されるように箱外面から突出されてなる当接突出部を含む下側箱体と、を有してなる電気接続箱において、前記当接突出部は、前記当接面に平行な方向で前記上側箱体よりも外側に突出される部分に、前記当接面から下方に向けて傾斜されるように前記当接面に繋がる傾斜面が形成されてなることを特徴とする。
【０００８】
また、本発明の請求項２に係る電気接続箱は、上記の発明において、前記当接突出部は、該当接突出部を上下方向で貫通する貫通孔が前記傾斜面に形成されてなることを特徴とする。
【０００９】
また、本発明の請求項３に係る電気接続箱は、上記の発明において、前記傾斜面は、前記当接面に平行な方向で前記上側箱体よりも僅かに内側の位置から前記当接面に繋がるように形成されてなることを特徴とする。
【発明の効果】
【００１０】
本発明の請求項１に係る電気接続箱は、前記当接突出部の前記当接面に平行な方向で前記上側箱体よりも外側に突出される部分に水がかけられた場合、その水が前記傾斜面をつたわって前記下側箱体の下方に誘導され、あるいは電気接続箱の外方向に向けて跳ね返されるので、上側箱体の下端縁面に当接される下側箱体の当接面をつたわって内部に水が侵入することを防止することができる。
【００１１】
本発明の請求項２に係る電気接続箱は、前記当接突出部の前記当接面に平行な方向で前記上側箱体よりも外側に突出される部分に水がかけられた場合、その水が前記貫通孔を通り抜けることによって、前記下側箱体の下方に誘導されるので、防水効果をさらに高めることができる。
【００１２】
本発明の請求項３に係る電気接続箱は、前記当接突出部の前記当接面に平行な方向で前記上側箱体よりも外側に突出される部分に前記傾斜面を確実に形成することができる。
【図面の簡単な説明】
【００１３】
【図１】図１は、本発明の実施例に係る電気接続箱の分解斜視図を示した図である。
【図２】図２は、図１に示した電気接続箱の斜視図である。
【図３】図３は、図２に示したサイドカバー周辺を下方から視た図である。
【図４】図４は、ロアカバーを上端面側から視た図である。
【図５】図５は、図１に示した当接突出部の周辺を拡大した図である。
【図６】図６は、図５に示した当接突出部周辺のＡ−Ａ線断面図である。
【図７】図７は、従来技術を説明するための図である。
【発明を実施するための形態】
【００１４】
以下、図面を参照して、本発明に係る電気接続箱の実施の形態について詳細に説明する。
【実施例】
【００１５】
図１は、本発明の実施例に係る電気接続箱１の分解斜視図を示した図である。  図２は、図１に示した電気接続箱１の斜視図である。
なお、図２は、アッパーカバー２０を透視してその内部が見えるように図示している。
図３は、図２に示したサイドカバー３０周辺を下方から視た図である。図４は、ロアカバー４０を上端面４０ｃ側から視た図である。図５は、図１に示した当接突出部５０の周辺を拡大した図である。図６は、図５に示した当接突出部５０周辺のＡ−Ａ線断面図である。
本発明の実施例に係る電気接続箱１は、下端面１０ｆが開口されてなる上側箱体としての箱本体１０と、上端面４０ｃが開口された有底の箱であり、箱本体１０の下端面１０ｆを覆うように組み付けられる下側箱体としてのロアカバー４０と、を有してなる。また、電気接続箱１は、箱本体１０の上部がアッパーカバー２０で覆われるようになっており、電気接続部材１２の接続部１２ａが収容される箱側溝部１０ｅを塞ぐように箱本体１０にサイドカバー３０が取り付けされるようになっている。
【００１６】
まず、箱本体１０について説明する。
箱本体１０は、コネクタ、リレー、ヒューズ等の電気部品１１ａが内部に収容され、電気接続箱１の主な収容部を構成する箱である。
この箱本体１０は、絶縁性の合成樹脂からなり、筒状の外壁によって外郭が形成されてなり、電気部品１１ａが装着されたブロック状のカセットブロック１１が内部に区画されて収容されるように仕切り壁１０ａが設けられている。
【００１７】
また、箱本体１０は、上端から下端まで直線状に延びるように箱外面１０ｄに形成されてなる箱側溝部１０ｅを有し、箱側溝部１０ｅ内に電気接続部材１２の接続部１２ａが収容されるようになっている。
【００１８】
電気接続部材１２は、図１に示すように、端子付きの電線であり、接続部１２ａとしての端子が箱側溝部１０ｅ内に収容され、一端が電気接続箱１内にカセットブロック１１とともに取り付けられた電気部品１１ａに接続され、他端がロアカバー４０の溝部４３から導出され、不図示の外部電源に接続されるようになっている。
なお、電気接続部材１２として、端子付き電線を例示したが、これに限らず、電気接続箱１内の電気部品１１を外部電源に電気的に接続させるものであれば、その他のものであっても構わない。
このような箱側溝部１０ｅには、サイドカバー３０が箱側溝部１０ｅの上端から下端に向けてスライド移動されて取り付けられるようになっている。
【００１９】
次に、アッパーカバー２０について説明する。
アッパーカバー２０は、下面が開口された箱形形状をなし、図２に示すように、下端縁部２０ａが箱本体１０の上端縁部にかぶさるようにして箱本体１０に組み付けられるようになっている。
【００２０】
次に、サイドカバー３０について説明する。
サイドカバー３０は、図１−図３に示すように、本体部となる板状の板状基部３１に電気接続部材１２を固定するための電気接続部材固定部３２（図３参照）を有してなる。
【００２１】
電気接続固定部３２は、板状基部３１の箱本体１０への取り付け側の面３１ａに設けられている。このため、サイドカバー３０が箱本体１０の溝開口を覆うように取り付けられた場合、箱側溝部１０ｅ内に電気接続部材１２の接続部１２ａが収容される。
【００２２】
次に、ロアカバー４０について説明する。
ロアカバー４０は、上端面４０ｃが開口され、ほぼ矩形状の底壁４１の縁に沿って立設された周側壁４２を有してなる有底の箱形形状をなし、上端縁部４０ａが箱本体１０の下端縁部１０ｃにかぶさるようにして組み付けられるものである。すなわち、ロアカバー４０は、下側箱体として、上側箱体としての箱本体１０の下方に組み付けられるようになっている。
【００２３】
このロアカバー４０は、図５および図６に示すように、箱本体１０の下端面１０ｆを覆うように組み付けられ、箱本体１０に組み付けされた場合、箱本体１０の下端縁面１０ｇに当接される当接面５１が形成されるように箱外面４０ｂから突出されてなる当接突出部５０を有してなる。
【００２４】
当接突出部５０は、図１に示すように、ロアカバー４０をエンジンルーム内に支持固定させるため、ロアカバー４０の底面よりも下方に延びるように設けられた支持脚であり、箱外面４０ｂである周側壁４２の一の外面の２箇所に設けられている。
このため、当接突出部５０は、支持脚としてロアカバー４０をエンジンルーム内に支持固定するとともに、箱本体１０の下端縁面１０ｇに当接されることによって箱本体１０を支持するようになっている。すなわち、当接突出部５０は、ロアカバー４０の上方から負荷される荷重を支持する機能を有している。
【００２５】
また、２箇所に設けられた当接突出部５０の各当接突出部５０は、当接面５１に平行な方向で箱本体１０よりも外側に突出される部分に、当接面５１から下方に向けて傾斜されるように当接面５１に繋がる傾斜面５２が形成されてなる。
この傾斜面５２は、当接面５１に平行な方向で箱本体１０の箱外面１０ｄと同じ位置、あるいは箱外面１０よりも僅かに内側の位置から当接面５１に繋がるように形成されてなる。
なお、上側箱体よりも外側に突出される部分に傾斜面５２を確実に形成するためには、傾斜面５２が箱外面１０よりよりも僅かに内側の位置から当接面５１に繋がるように形成することが好ましい。
【００２６】
また傾斜面５２には、当接突出部５０を上下方向で貫通する貫通孔５３が形成されてなる。
【００２７】
このような電気接続箱１は、例えば、エンジンルームの洗浄のため、当接面５１の周辺に水がかかった場合、図６に示すように、その水が傾斜面５１につたわってロアカバー４０の下方に誘導され、あるいはその水が電気接続箱１の外方向に向けて跳ね返される。
また、貫通孔５３に水がかかった場合、その水は貫通孔５３を通り抜けることによって、ロアカバー４０の下方に誘導されるようになっている。
【００２８】
本発明の実施例に係る電気接続箱１は、当接突出部５０の当接面５１に平行な方向で箱本体１０よりも外側に突出される部分に水がかけられた場合、その水が傾斜面５２をつたわってロアカバー４０の下方に誘導され、あるいは電気接続箱１の外方向に向けて跳ね返されるので、箱本体１０の下端縁面１０ｇに当接されるロアカバー４０の当接面５１をつたわって内部に水が侵入することを防止することができる。
【００２９】
また、本発明の実施例に係る電気接続箱１は、当接突出部５０の当接面５１に平行な方向で箱本体１０よりも外側に突出される部分に水がかけられた場合、その水が貫通孔５３を通り抜けることによって、ロアカバー４０の下方に誘導されるので、防水効果をさらに高めることができる。
【００３０】
また、本発明の実施例に係る電気接続箱１は、傾斜面５２が当接面５１に平行な方向で箱本体１０の箱外面１０ｄと同じ位置、あるいは箱外面１０よりも僅かに内側の位置から当接面５１に繋がるように形成されてなる場合、当接面５１に平行な方向で箱本体１０よりも外側に突出される部分に傾斜面５２を確実に形成することができる。
【００３１】
なお、本発明の実施例の電気接続箱１は、アッパーカバー２０と、箱本体１０と、サイドカバー３０と、ロアカバー４０とを有してなるものを例示したが、これに限らず、下端面が開口されてなる上側箱体と、上端面が開口され、上側箱体の下方に組み付けられ、上側箱体に組み付けされた場合、上側箱体の下端縁面に当接される当接面が形成されるように箱外面から突出されてなる当接突出部を含む下側箱体と、を有してなる電気接続箱であれば、その他の電気接続箱であっても構わない。例えば、アッパーカバー２０が、箱本体１０に対して上側箱体とされ、アッパーカバー２０に対して下側箱体とされる箱本体１０に当接突出部が設けられるようにしても構わない。あるいは、アッパーカバー２０が上側箱体とされ、箱本体１０とロアカバー４０とが一体となる箱体が下側箱体とされるものであっても構わない。
【００３２】
また、本発明の実施例の電気接続箱１は、当接突出部５０がロアカバー４０をエンジンルーム内に固定させるための支持脚であるものを例示したが、これに限らず、当接突出部は、上側箱体の下端縁面に当接される当接面が形成されるようにロアカバーの箱外面から突出されてなる部分であればよい。例えば、当接突出部が支持機能を伴わず、ロアカバーの剛性を高めるために突出されてなる補強部分であっても構わない。
【００３３】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００３４】
１        電気接続箱
１０      箱本体
１０ａ    仕切り壁
１０ｂ    上端縁部
１０ｃ    下端縁部
１０ｄ    箱外面
１０ｅ    箱側溝部
１０ｆ    下端面
１０ｇ    下端縁面
１１      カセットブロック
１１ａ    電気部品
１２      電気接続部材
１２ａ    接続部
２０      アッパーカバー
２０ａ    下端縁部
３０      サイドカバー
３１      板状基部
３１ａ    取り付け側の面
３２      電気接続部固定部
４０      ロアカバー
４０ａ    上端縁部
４０ｂ    箱外面
４０ｃ    上端面
４１      底壁
４２      周側壁
４３      溝部
５０      当接突出部
５１      当接面
５２      傾斜面
５３      貫通孔
【図１】
0005884137.tif 000002
【図２】
0005884137.tif 000003
【図３】
0005884137.tif 000004
【図４】
0005884137.tif 000005
【図５】
0005884137.tif 000006
【図６】
0005884137.tif 000007
【図７】
0005884137.tif 000008